(57)【要約】【課題】簡単な回路構成で、操作も容易で、信頼性にも優れたエンジン発電機の誤操作防止装置を提供する。【解決手段】エンジンにより駆動される同期発電機から出力する電力の出力形式を第１出力形式と第２出力形式とに切替設定する出力形式設定器を備えたエンジン発電機における前記出力形式設定器の誤操作を防止するための誤操作防止装置であって、前記出力形式設定器の出力形式切替スイッチを前記第１出力形式及び前記第２出力形式のいずれか一方の出力形式に設定して前記エンジンを始動して前記同期発電機を稼働させたときに、該一方の出力形式の動作を保持する自己保持回路を設けるとともに、他方の出力形式の動作を制限するインターロック回路を設ける。【選択図】図１
2010206891.tif 000002
【特許請求の範囲】
【請求項１】
エンジンにより駆動される同期発電機から出力する電力の出力形式を第１出力形式と第２出力形式とに切替設定する出力形式設定器を備えたエンジン発電機における前記出力形式設定器の誤操作を防止するための誤操作防止装置であって、前記出力形式設定器の出力形式切替スイッチを前記第１出力形式及び前記第２出力形式のいずれか一方の出力形式に設定して前記エンジンを始動して前記同期発電機を稼働させたときに、該一方の出力形式の動作を保持する自己保持回路を設けるとともに、他方の出力形式の動作を制限するインターロック回路を設けたことを特徴とするエンジン発電機の誤操作防止装置。
【請求項２】
エンジンにより駆動される同期発電機から出力する電力の出力形式を第１出力形式と第２出力形式とに切替設定する出力形式設定器を備えたエンジン発電機における前記出力形式設定器の誤操作を防止するための誤操作防止装置であって、前記出力形式設定器の出力形式切替スイッチを第１出力形式に設定したときにのみＯＮとなる第１接点と、前記出力形式切替スイッチを第２出力形式に設定したときにのみＯＮとなる第２接点と、前記第１接点に直列に設けられた第１リレーと、前記第２接点に直列に設けられた第２リレーと、前記第２接点と前記第２リレーとの間に直列に設けられて前記第１リレーにより作動する第１常閉接点と、前記第１接点と前記第１リレーとの間に直列に設けられて前記第２リレーにより作動する第２常閉接点と、前記第１接点及び前記第２常閉接点に並列で、かつ、前記第１リレーに直列に設けられて該第１リレーにより作動する第１常開接点と、前記第２接点及び前記第１常閉接点に並列で、かつ、前記第２リレーに直列に設けられて該第２リレーにより作動する第２常開接点と、前記第１常開接点がＯＮのときに第１出力形式設定信号を出力する第１出力形式設定信号回路と、前記第２常開接点がＯＮのときに第２出力形式設定信号を出力する第２出力形式設定信号回路とを備えていることを特徴とするエンジン発電機の誤操作防止装置。
【請求項３】
前記第１リレーが作動したときにのみ点灯する第１表示灯と、前記第２リレーが作動したときにのみ点灯する第２表示灯とを備えていることを特徴とする請求項２記載のエンジン発電機の誤操作防止装置。
【発明の詳細な説明】
【技術分野】
【０００１】
本発明は、エンジン発電機の誤操作防止装置に関し、詳しくは、複数の出力形式を切替設定する出力形式設定器を備えたエンジン発電機における出力形式設定器の誤操作防止装置に関する。
【背景技術】
【０００２】
ディーゼルエンジン等で同期発電機を駆動する可搬式のエンジン発電機では、発電機の設置場所や使用目的に応じて出力形式である出力周波数及び出力電圧を切り替えるようにしている。出力形式を誤った場合は、発電機が損傷したり、発電機に接続された負荷が損傷したりするおそれがあるため、エンジンを始動して発電機を稼働させる前に、出力周波数や出力電圧を確認する必要がある。このため、出力形式を変更する出力変更スイッチと、変更可能な出力形式に対応した切替位置を有する確認スイッチとを設け、両スイッチの位置が一致したときにのみ発電機を出力可能としたり（例えば、特許文献１参照。）、エンジン始動後には出力形式の変更操作を防止したりする回路が提案されている（例えば、特許文献２参照。）。
【先行技術文献】
【特許文献】
【０００３】
【特許文献１】特開２００６−８７２６８号公報
【特許文献２】特開平１０−２１０７９７号公報
【発明の概要】
【発明が解決しようとする課題】
【０００４】
しかし、従来のものでは、回路構成が複雑であったり、操作が面倒であったりするという問題があった。
【０００５】
そこで本発明は、簡単な回路構成で、操作も容易で、信頼性にも優れたエンジン発電機の誤操作防止装置を提供することを目的としている。
【課題を解決するための手段】
【０００６】
上記目的を達成するため、本発明のエンジン発電機の誤操作防止装置は、第１の構成として、エンジンにより駆動される同期発電機から出力する電力の出力形式を第１出力形式と第２出力形式とに切替設定する出力形式設定器を備えたエンジン発電機における前記出力形式設定器の誤操作を防止するための誤操作防止装置であって、前記出力形式設定器の出力形式切替スイッチを前記第１出力形式及び前記第２出力形式のいずれか一方の出力形式に設定して前記エンジンを始動して前記同期発電機を稼働させたときに、該一方の出力形式の動作を保持する自己保持回路を設けるとともに、他方の出力形式の動作を制限するインターロック回路を設けたことを特徴としている。
【０００７】
また、本発明のエンジン発電機の誤操作防止装置における第２の構成は、エンジンにより駆動される同期発電機から出力する電力の出力形式を第１出力形式と第２出力形式とに切替設定する出力形式設定器を備えたエンジン発電機における前記出力形式設定器の誤操作を防止するための誤操作防止装置であって、前記出力形式設定器の出力形式切替スイッチを第１出力形式に設定したときにのみＯＮとなる第１接点と、前記出力形式切替スイッチを第２出力形式に設定したときにのみＯＮとなる第２接点と、前記第１接点に直列に設けられた第１リレーと、前記第２接点に直列に設けられた第２リレーと、前記第２接点と前記第２リレーとの間に直列に設けられて前記第１リレーにより作動する第１常閉接点と、前記第１接点と前記第１リレーとの間に直列に設けられて前記第２リレーにより作動する第２常閉接点と、前記第１接点及び前記第２常閉接点に並列で、かつ、前記第１リレーに直列に設けられて該第１リレーにより作動する第１常開接点と、前記第２接点及び前記第１常閉接点に並列で、かつ、前記第２リレーに直列に設けられて該第２リレーにより作動する第２常開接点と、前記第１常開接点がＯＮのときに第１出力形式設定信号を出力する第１出力形式設定信号回路と、前記第２常開接点がＯＮのときに第２出力形式設定信号を出力する第２出力形式設定信号回路とを備えていることを特徴とし、さらに、前記第１常開接点がＯＮのときに点灯する第１表示灯と、前記第２常開接点がＯＮのときに点灯する第２表示灯とを備えていることを特徴としている。
【発明の効果】
【０００８】
本発明の発電機の誤操作防止装置によれば、第１出力形式及び第２出力形式のいずれか一方の出力形式を選択して出力形式設定器で切替設定したときに、該一方の出力形式に設定したときには、運転中は該一方の出力形式を保持するとともに他方の出力形式への切り替えを制限するので、運転中に出力形式設定器の出力形式切替スイッチを他方の出力形式側に切り替えても、同期発電機からの出力が他方の出力形式に切り替わることはなく、発電機や負荷を保護することができる。
【図面の簡単な説明】
【０００９】
【図１】本発明の発電機の誤操作防止装置に設けた誤操作防止回路の一形態例を示す回路図である。
【図２】エンジン発電機に設けられているコントロールユニットの操作パネルの一例を示す正面図である。
【発明を実施するための形態】
【００１０】
本形態例は、エンジン発電機のコントロールユニット１０に設けられている出力形式設定器の一つである周波数設定器１１の電気回路１２に誤操作を防止するための保護回路を組み込んだ例を示している。周波数設定器１１の電気回路１２は、周知のように、コントロールユニット１０の操作パネルに設けられた主スイッチ（キースイッチ）１３をＡＣＣ位置１３ａ又はＯＮ位置１３ｂとすることによってバッテリーからの制御電流が通電状態となるもので、基本的には、周波数設定器１１の切替スイッチ（出力形式切替スイッチ）１１ａを操作して周波数切替接点を５０Ｈｚ（第１出力形式）側の第１接点１４ａに切り替えることによって第１出力形式設定信号回路１５ａからエンジン回転数を制御する電子ガバナに５０Ｈｚ設定信号を出力するとともに５０Ｈｚが選択されていることを表示する第１表示灯１６ａを点灯し、周波数切替接点を６０Ｈｚ（第２出力形式）側の第２接点１４ｂに切り替えることによって第２出力形式設定信号回路１５ｂからエンジン回転数を制御する電子ガバナに６０Ｈｚ設定信号を出力するとともに６０Ｈｚが選択されていることを表示する第２表示灯１６ｂを点灯するように形成されている。
【００１１】
このような周波数設定器１１の電気回路１２において、本形態例では、出力形式の動作を保持する自己保持回路と、他方の出力形式の動作を制限するインターロック回路とを設けている。すなわち、電気回路１２は、前記周波数設定器１１の切替スイッチ１１ａを５０Ｈｚに設定したときにのみＯＮとなる前記第１接点１４ａと、前記周波数設定器１１の切替スイッチ１１ａを６０Ｈｚに設定したときにのみＯＮとなる前記第２接点１４ｂと、前記第１接点１４ａに直列に設けられた第１リレー２１ａと、前記第２接点１４ｂに直列に設けられた第２リレー２１ｂと、前記第２接点１４ｂと前記第２リレー２１ｂとの間に直列に設けられて前記第１リレー２１ａにより作動する第１常閉接点２２ａと、前記第１接点１４ａと前記第１リレー２１ａとの間に直列に設けられて前記第２リレー２１ａにより作動する第２常閉接点２２ｂと、前記第１接点１４ａ及び前記第２常閉接点２２ｂに並列で、かつ、前記第１リレー２１ａに直列に設けられて該第１リレー２１ａにより作動する第１常開接点２３ａと、前記第２接点１４ｂ及び前記第１常閉接点２２ａに並列で、かつ、前記第２リレー２１ｂに直列に設けられて該第２リレー２１ｂにより作動する第２常開接点２３ｂと、前記第１常開接点２３ａがＯＮのときに電子ガバナに５０Ｈｚ設定信号を出力する前記第１出力形式設定信号回路１５ａ及び第１常開接点２３ａのＯＮにより点灯する前記第１表示灯１６ａと、前記第２常開接点２３ｂがＯＮのときに電子ガバナに６０Ｈｚ設定信号を出力する前記第２出力形式設定信号回路１５ｂ及び第２常開接点２３ｂのＯＮにより点灯する前記第２表示灯１６ｂとを備えている。
【００１２】
図１に示すように、周波数設定器１１の切替スイッチ１１ａを５０Ｈｚに設定した状態でキースイッチ１３をＡＣＣ位置１３ａ又はＯＮ位置１３ｂに切り替えると、切替スイッチ１１ａの第１接点１４ａ及び第２常閉接点２２ｂを介して第１リレー２１ａが通電状態となり、該第１リレー２１ａの作動によって第１常閉接点２２ａが開いてＯＦＦ状態になるとともに、第１常開接点２３ａが閉じてＯＮ状態になる。これにより、第１出力形式設定信号回路１５ａ及び第１表示灯１６ａが通電状態となり、第１出力形式設定信号回路１５ａから電子ガバナに５０Ｈｚ設定信号が出力されるとともに、第１表示灯１６ａが点灯する。この状態でキースイッチ１３をエンジンスタート位置１３ｃに回すとエンジンが始動し、電子ガバナの作用によって同期発電機から５０Ｈｚが出力される回転数でエンジンが回転した発電状態となる。
【００１３】
同期発電機が５０Ｈｚにて発電中の状態では、第１リレー２１ａの作動でＯＮとなっている第１常開接点２３ａにより第１リレー２１ａが通電状態に保持されるとともに第１常開接点２３ａがＯＮとなる自己保持回路の作用と、第１リレー２１ａの作動でＯＦＦとなっている第１常閉接点２２ａにより第２リレー２１ｂへの通電が防止された状態に保持されるインターロック回路の作用とにより、発電中に周波数設定器１１の切替スイッチ１１ａを誤って操作し、周波数切替接点を６０Ｈｚ側の第２接点１４ｂに切り替えた場合でも、第２リレー２１ｂが通電状態となることはない。
【００１４】
したがって、第１リレー２１ａが作動中は、第２リレー２１ｂは非作動状態を継続することから第２常開接点２３ｂがＯＮとなることはないので、第２出力形式設定信号回路１５ｂから電子ガバナに６０Ｈｚ設定信号が出力されることはなく、エンジンは５０Ｈｚ発電に対応した回転数を維持するように運転される。
【００１５】
発電周波数を５０Ｈｚから６０Ｈｚに切り替えるには、キースイッチ１３をＯＦＦとしてエンジンを停止させるとともに、周波数設定器１１の電気回路１２への制御電流の通電を止めた後、切替スイッチ１１ａを操作して周波数切替接点を６０Ｈｚ側の第２接点１４ｂに切り替えることで行うことができる。
【００１６】
このように、エンジンスタート後は、発電周波数の切り替えを行えないように形成することにより、発電機や負荷を保護することができる。特に、周波数設定器１１の電気回路１２に、２個のリレー２１ａ，２１ｂと、各リレー２１ａ，２１ｂで作動する４個の接点２２ａ，２２ｂ，２３ａ，２３ｂを組み込むだけで形成することができるので、回路構成を簡単な低コストのものとすることができ、周波数の切り替えはエンジン停止時に切替スイッチ１１ａを操作するだけでよいことから操作も容易であり、電気回路を構成する部品数も少ないことから信頼性にも優れたものとすることができる。
【００１７】
なお、本発明の発電機の誤操作防止装置は、出力形式として電圧にも対応可能である。また、各表示灯は省略することもできる。
【符号の説明】
【００１８】
１０…コントロールユニット、１１…周波数設定器、１１ａ…切替スイッチ、１２…電気回路、１３…キースイッチ、１３ａ…ＡＣＣ位置、１３ｂ…ＯＮ位置、１４ａ…第１接点、１４ｂ…第２接点、１５ａ…第１出力形式設定信号回路、１５ｂ…第２出力形式設定信号回路、１６ａ…第１表示灯、１６ｂ…第２表示灯、２１ａ…第１リレー、２１ｂ…第２リレー、２２ａ…第１常閉接点、２２ｂ…第２常閉接点、２３ａ…第１常開接点、２３ｂ…第２常開接点
【図１】
2010206891.tif 000003
【図２】
2010206891.tif 000004